(57)【要約】【課題】幅の大きい開口部を有する電子カード接続装置に関し、幅の小さい電子カードを接続した際の、電子カードのぐらつきを抑制させる装着部品を提供することを第１の目的とする。また、電子カードを接続した際に生じる電子カード接続装置の開口部からの埃の侵入を防止する装着部品を提供することを第２の目的とする。【解決手段】装着部品６は第１の部材６２と第２の部材６４とを有する。第１の部材６２は、幅の小さい電子カード４４を電子カード接続装置１のコネクタに接続した場合に形成される電子カード接続装置１内の空間部に収納される。また、空間部に収納された際の第１の部材６２の幅は、空間部の幅と略同一である。【選択図】図７
2010267202.tif 000002
【特許請求の範囲】
【請求項１】
一端に開口部を有し他端にコネクタを有する筐体と、前記筐体の底面を形成する底面部材とを備え、前記開口部の長手方向を幅方向とした場合に、一定の幅を有する第１種の電子カードと前記第１種の電子カードよりも大きい一定の幅を有する第２種の電子カードを前記開口部から挿入して前記コネクタに接続できる電子カード接続装置に装着するための装着部品であって、
前記コネクタに前記第１種の電子カードを接続した際に、前記底面部材と前記筐体と前記第１種の電子カードにより形成される略直方体形状の空間部に収納される第１の部材と、
前記第１の部材に接続され、前記第１の部材を前記電子カード接続装置に収納した際に前記開口部から前記筐体の外側に露出する第２の部材と、を備え、
前記空間部に収納された際の前記第１の部材の幅は、前記空間部の幅と略同一である、装着部品。
【請求項２】
請求項１に記載の装着部品であって、
前記第２種の電子カードは、前記第１種の電子カードよりも大きい一定の幅を有する幅広部と、前記第１種の電子カードと同一の幅を有する幅同一部とを有し、
前記筐体は、
前記開口部から他端側へ向かって形成され、前記幅広部の幅に対応する一定の幅を有する第１の部分と、
前記第１の部分から他端側へ向かって形成され、前記第１種の電子カードの幅に対応する一定の幅を有する第２の部分と、を有し、
前記第１種の電子カードが前記第１と第２の部分に収納されることで、前記第１の部分の一部に前記空間部が形成される、装着部品。
【請求項３】
請求項１又は請求項２に記載の装着部品であって、
前記第１の部材は、前記第１種の電子カードを前記コネクタに接続した際に、前記第１種の電子カードと接する電子カード側部材と、前記筐体の側面と接する側面側部材とを有し、
少なくとも前記電子カード側部材の長さは、前記空間部の長さと略同一である、装着部品。
【請求項４】
請求項１乃至請求項３のいずれか一項に記載の装着部品であって、
前記第２の部材は直方体形状であり、
前記第２の部材の厚さは、前記空間部の高さ以上であり、
前記第２の部材の幅は、前記空間部の幅以上であり、
前記空間部に前記第１の部材を収納した際に、前記第２の部材は前記開口部を塞ぐ位置にある、装着部品。
【請求項５】
請求項１乃至請求項４のいずれか一項に記載の装着部品であって、
前記第１の部材は、さらに、少なくとも一部に弾性を有する弾性部材を有し、
前記空間部に前記第１の部材を収納した際に、前記第１の部材は前記弾性部材の弾性力により、前記第１種の電子カードを当該装着部品が位置する側とは反対の側に押す、装着部品。
【請求項６】
請求項１乃至請求項５のいずれか一項に記載の装着部品であって、さらに、
前記第１種の電子カードの一部と嵌合させることができる嵌合部材を有する、装着部品。
【請求項７】
請求項６に記載の装着部品であって、
前記嵌合部材は、前記第１種の電子カードに形成された切欠部と嵌合する部材である、装着部品。
【請求項８】
請求項１乃至請求項７のいずれか一項に記載の装着部品であって、さらに、
前記第２の部材に接続され、前記第２の部材よりも厚さの小さい薄肉部材を有し、
前記薄肉部材は、前記第２の部材を挟んで前記第１の部材とは反対側に位置しており、
前記第１種の電子カードが、前記第１種の電子カードを前記コネクタに接続した際に前記筐体の外側に位置する延長部を有する場合に、
前記薄肉部材は、前記第１種の電子カードが前記コネクタに接続され、かつ、前記第１の部材が前記空間部に収納された際に、前記延長部の底面と当接することができるような構造を有する、装着部品。
【請求項９】
請求項１乃至請求項８のいずれか一項に記載の装着部品であって、
前記第１種の電子カードは、ＥｘｐｒｅｓｓＣａｒｄ／３４であり、
前記電子カード接続装置は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したユニバーサルスロットであり、
前記第１の部材の厚さは、３．００ｍｍ以上５．６０ｍｍ未満であり、
前記第２の部材の厚さは、５．４０ｍｍ以上５．７０ｍｍ以下であり、
前記第１の部材の長さは、３６．９５ｍｍ以上３７．３５ｍｍ以下であり、
前記空間部に前記第１の部材が収納された際に、前記第１の部材の一方の側面は前記ＥｘｐｒｅｓｓＣａｒｄ／３４に接し、前記第１の部材の他方の側面は前記筐体の側面に接する、装着部品。
【発明の詳細な説明】
【技術分野】
【０００１】
本発明は、電子カード接続装置に装着するための装着部品に関する。
【背景技術】
【０００２】
電子カードをコネクタに接続する装置として、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したユニバーサルスロットが知られている。ユニバーサルスロットに接続する電子カードは、ＰＣＭＣＩＡ規格で開示されたＥｘｐｒｅｓｓ  Ｃａｒｄ／３４（以下、「第１のカード」という。）と、Ｅｘｐｒｅｓｓ  Ｃａｒｄ／５４（以下、「第２のカード」という。）がある。第１のカードは、幅３４ｍｍ、長さ７５ｍｍ、厚さが５ｍｍの略直方体のカードである。第２のカードは、幅５４ｍｍ、長さ５３ｍｍ、厚さ５ｍｍの略直方体の幅広部と、幅３４ｍｍ、長さ２２ｍｍ、厚さ５ｍｍの略直方体の幅同一部とを有し、全体の形状が略Ｌ字形状をしている。なお、第１のカード、第２のカードを総じて「カード」という。
【０００３】
図１３は、ユニバーサルスロットのコネクタに各カードを接続した際の斜視図である。図１３（Ａ）は、第１のカード４４ｃをユニバーサルスロット１ｃのコネクタに接続した際の斜視図であり、図１３（Ｂ）は、第２のカード５４ｃをユニバーサルスロット１ｃのコネクタに接続した際の斜視図である。また、図１３の各カード４４ｃ，５４ｃには、Ｉ／Ｏコネクタやアンテナ等の拡張用の部品４２ｃ,５２ｃが実装されている。なお、図１３には方向を特定するためにＸＹＺ軸が図示されている。図１３では、各カード４４ｃ，５４ｃの形状が分かるように、ユニバーサルスロット１ｃ内に収納されている各カードの部分は破線で示している。
【０００４】
ユニバーサルスロット１ｃは、筐体２０ｃと底面部材３０ｃとを有する。筐体２０ｃの一端（Ｘ軸正方向側の端）は開口部２０８ｃであり、他端側の面（Ｘ軸負方向側の面）にはコネクタ（図示せず）を有する。開口部２０８ｃの幅の寸法は、第１のカード４４ｃと第２のカード５４ｃの双方をユニバーサルスロット１に挿入可能とするために、第２のカード５４ｃの幅広部の幅の寸法５４ｍｍに対応させた略５４ｍｍである。また、ユニバーサルスロット１ｃは第２のカード５４ｃを収納可能とするために、開口部２０８ｃからＸ軸負方向に向かって、第２のカード５４ｃの幅広部の幅に対応した幅を有する第１の部分２２０ｃを有する。さらに、ユニバーサルスロット１ｃは、第１の部分からＸ軸負方向側へ向かって形成された、第１のカード４４ｃの幅に対応した幅を有する第２の部分２３０ｃを有する。
【０００５】
ユニバーサルスロット１ｃのコネクタに第１のカード４４ｃを接続した場合、第１の部分２２０ｃに空間部２２１ｃが生じる。このため、第１のカード４４ｃががたつき、コネクタとの接続不良が生じる場合があった。また、開口部２０８ｃから埃が第１の部分の空間部２２１ｃに侵入する場合があった。
【０００６】
上記の問題を解決するために、従来、ユニバーサルスロット１ｃの開口部２０８ｃに第１と第２の扉を設ける技術が知られている（例えば、特許文献１）。この技術は、第１のカード４４ｃの挿入時には第１の扉は開状態となり、第２の扉は閉状態となる。第２の扉の側面が第１のカード４４ｃと当接することで第１のカード４４ｃのがたつきを抑制する。また、第２の扉により開口部２０８ｃから埃がユニバーサルスロット１ｃ内に侵入することを防止する。
【０００７】
しかしながら、第１のカード４４ｃのがたつきを抑制する「がたつき抑制機構」又は開口部２０８ｃからの埃の侵入を防止する「防塵機構」を備えていないユニバーサルスロットが多く市場に流通しているのが実情である。「がたつき抑制機構」又は「防塵機構」を備えていないユニバーサルスロットにおいては、第１のカード４４のぐらつきの抑制や、ユニバーサルスロットへの埃の侵入の防止を行うことが困難であった。このような問題は、ＰＣＭＣＩＡ規格に準拠したユニバーサルスロットのコネクタに第１のカードを接続する場合に限らず、一定の幅を有する第１種の電子カードと、第１種の電子カードよりも大きい幅を有する第２種の電子カードをコネクタに接続できる電子カード接続装置において、第１種の電子カードをコネクタに接続する場合に共通する問題であった。
【先行技術文献】
【特許文献】
【０００８】
【特許文献１】特開２００７−２４１４１６号公報
【特許文献２】特開２００６−７９８４３号公報
【特許文献３】特開２００６−１２０４７６号公報
【発明の概要】
【発明が解決しようとする課題】
【０００９】
従って本発明は、一定の幅を有する第１種の電子カードと、第１種の電子カードよりも大きい一定の幅を有する幅広部を有する第２種の電子カードとをそれぞれコネクタに接続できる電子カード接続装置に関し、第１種の電子カードを電子カード接続装置のコネクタに接続した際の、第１種の電子カードのぐらつきを抑制させる技術を提供することを第１の目的とする。また、第１種の電子カードを電子カード接続装置のコネクタに接続した際に生じる電子カード接続装置の開口部からの埃の侵入を防止する技術を提供することを第２の目的とする。
【課題を解決するための手段】
【００１０】
本発明は、上記の課題の少なくとも一部を解決するためになされたものであり、以下の形態または適用例として実現することができる。
【００１１】
[適用例１]一端に開口部を有し他端にコネクタを有する筐体と、前記筐体の底面を形成する底面部材とを備え、前記開口部の長手方向を幅方向とした場合に、一定の幅を有する第１種の電子カードと前記第１種の電子カードよりも大きい一定の幅を有する第２種の電子カードを前記開口部から挿入して前記コネクタに接続できる電子カード接続装置に装着するための装着部品であって、前記コネクタに前記第１種の電子カードを接続した際に、前記底面部材と前記筐体と前記第１種の電子カードにより形成される略直方体形状の空間部に収納される第１の部材と、前記第１の部材に接続され、前記第１の部材を前記電子カード接続装置に収納した際に前記開口部から前記筐体の外側に露出する第２の部材と、を備え、前記空間部に収納された際の前記第１の部材の幅は、前記空間部の幅と略同一である、装着部品。
適用例１の装着部品によれば、空間部に収納された際の第１の部材の幅が、空間部の幅と略同一であることから、電子カード接続装置のコネクタに第１種の電子カードを接続した際の第１種の電子カードのぐらつきを抑制させることができる。これにより、第１種の電子カードのコネクタへの接続を良好に保つことができる。また、第１の部材を電子カード接続装置に収納した際に、第２の部材が筐体の外側に露出していることから、第２の部材を利用者が摘むことで容易に装着部品を電子カード接続装置から引き抜くことができる。なお、「略同一」とは、空間部に第１の部材を収納した際に、幅方向に若干の隙間が生じても、第１種の電子カードのぐらつきを抑制できる範囲であれば良いことを意味する。
【００１２】
[適用例２]適用例１に記載の装着部品であって、前記第２種の電子カードは、前記第１種の電子カードよりも大きい一定の幅を有する幅広部と、前記第１種の電子カードと同一の幅を有する幅同一部とを有し、前記筐体は、前記開口部から他端側へ向かって形成され、前記幅広部の幅に対応する一定の幅を有する第１の部分と、前記第１の部分から他端側へ向かって形成され、前記第１種の電子カードの幅に対応する一定の幅を有する第２の部分と、を有し、前記第１種の電子カードが前記第１と第２の部分に収納されることで、前記第１の部分の一部に前記空間部が形成される、装着部品。
適用例２の装着部品によれば、空間部に収納された際の第１の部材の幅が、空間部の幅と略同一であることから、電子カード接続装置のコネクタに第１種の電子カードを接続した際の第１種の電子カードのぐらつきを抑制させることができる。これにより、第１種の電子カードのコネクタへの接続を良好に保つことができる。また、第１の部材を電子カード接続装置に収納した際に、第２の部材が筐体の外側に露出していることから、第２の部材を利用者が摘むことで容易に装着部品を電子カード接続装置から引き抜くことができる。なお、「略同一」とは、空間部に第１の部材を収納した際に、幅方向に若干の隙間が生じても、第１種の電子カードのぐらつきを抑制できる範囲であれば良いことを意味する。
【００１３】
[適用例３]適用例１又は適用例２に記載の装着部品であって、前記第１の部材は、前記第１種の電子カードを前記コネクタに接続した際に、前記第１種の電子カードと接する電子カード側部材と、前記筐体の側面と接する側面側部材とを有し、少なくとも前記電子カード側部材の長さは、前記空間部の長さと略同一である、装着部品。
適用例３の装着部品によれば、さらに、少なくとも電子カード側部材の長さが空間部の長さと略同一であるため、電子カード側部材が空間部を形成する筐体の面の内、開口部を形成する面とは反対側の面と接するため、装着部品のぐらつきを抑制することができる。よって、第１の電子カードのぐらつきをさらに抑制させることができ、第１の電子カードのコネクタへの接続をさらに良好に保つことができる。
【００１４】
[適用例４]適用例１乃至適用例３のいずれか一つに記載の装着部品であって、前記第２の部材は直方体形状であり、前記第２の部材の厚さは、前記空間部の高さ以上であり、前記第２の部材の幅は、前記空間部の幅以上であり、前記空間部に前記第１の部材を収納した際に、前記第２の部材は前記開口部を塞ぐ位置にある、装着部品。
適用例４の装着部品によれば、開口部から電子カード接続装置内に埃が侵入することを防止することができる。
【００１５】
[適用例５]適用例１乃至適用例４のいずれか一つに記載の装着部品であって、前記第１の部材は、さらに、少なくとも一部に弾性を有する弾性部材を有し、前記空間部に前記第１の部材を収納した際に、前記第１の部材は前記弾性部材の弾性力により、前記第１種の電子カードを当該装着部品が位置する側とは反対の側に押す、装着部品。
適用例５に記載の装着部品によれば、さらに、第１の部材は、第１種の電子カードを装着部品が位置する側とは反対の側に押すために、装着部品を安定して電子カード接続装置内に保持させることができる。言い換えれば、第１の部材は第１種の電子カードと筐体側面により挟持されることになり装着部品を安定して電子カード接続装置内に保持させることができる。
【００１６】
[適用例６]適用例１乃至適用例５のいずれか一つに記載の装着部品であって、さらに、前記第１種の電子カードの一部と嵌合させることができる嵌合部材を有する、装着部品。
適用例６の装着部品によれば、さらに、嵌合部材を有することで第１種の電子カードと装着部品を一体として電子カード接続装置に挿脱可能とすることができる。
【００１７】
[適用例７]適用例６に記載の装着部品であって、前記嵌合部材は、前記第１種の電子カードに形成された切欠部と嵌合する部材である、装着部品。
適用例７の装着部品によれば、さらに、第１種の電子カードに形成された切欠部と嵌合する部材を有することで、第１種の電子カードと装着部品を一体として電子カード接続装置に挿脱可能とすることができる。
【００１８】
[適用例８]適用例１乃至適用例７のいずれか一つに記載の装着部品であって、さらに、前記第２の部材に接続され、前記第２の部材よりも厚さの小さい薄肉部材を有し、前記薄肉部材は、前記第２の部材を挟んで前記第１の部材とは反対側に位置しており、前記第１種の電子カードが、前記第１種の電子カードを前記コネクタに接続した際に前記筐体の外側に位置する延長部を有する場合に、前記薄肉部材は、前記第１種の電子カードが前記コネクタに接続され、かつ、前記第１の部材が前記空間部に収納された際に、前記延長部の底面と当接することができるような構造を有する、装着部品。
適用例８の装着部品によれば、装着部品の薄肉部材が第１種の電子カードに備えられた延長部の底面と当接することで、装着部品が第１種の電子カードを安定して保持することができ、第１種の電子カードのぐらつきをさらに抑制することができる。
【００１９】
[適用例９]適用例１乃至適用例８のいずれか一つに記載の装着部品であって、前記第１種の電子カードは、ＥｘｐｒｅｓｓＣａｒｄ／３４であり、前記電子カード接続装置は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したユニバーサルスロットであり、前記第１の部材の厚さは、３．００ｍｍ以上５．６０ｍｍ未満であり、前記第２の部材の厚さは、５．４０ｍｍ以上５．７０ｍｍ以下であり、前記第１の部材の長さは、３６．９５ｍｍ以上３７．３５ｍｍ以下であり、前記空間部に前記第１の部材が収納された際に、前記第１の部材の一方の側面は前記ＥｘｐｒｅｓｓＣａｒｄ／３４に接し、前記第１の部材の他方の側面は前記筐体の側面に接する、装着部品。
適用例９の装着部品によれば、ユニバーサルスロットが備えるコネクタにＥｘｐｒｅｓｓＣａｒｄ／３４を接続した際の、ＥｘｐｒｅｓｓＣａｒｄ／３４のぐらつきを抑制させることができる。これにより、ＥｘｐｒｅｓｓＣａｒｄ／３４のコネクタへの接続を良好に保つことができる。また、ＥｘｐｒｅｓｓＣａｒｄ／３４をユニバーサルスロットのコネクタに接続した際に形成される空間部を、装着部品の第２の部材により筐体の外部から遮蔽するため、埃の侵入を防止することができる。
【００２０】
なお、本発明は、種々の形態で実現することが可能であり、例えば、装着部品、装着部品の製造方法。装着部品の電子カード接続装置への挿脱方法等の態様で実現することができる。
【図面の簡単な説明】
【００２１】
【図１】第１実施例としての装着部品を装着するための電子カード接続装置を説明するための図である。
【図２】第１実施例の電子カード接続装置を説明するための第２の図である。
【図３】ユニバーサルスロットのコネクタに接続する電子カードを備えたモジュールの斜視図である。
【図４】ユニバーサルスロットのコネクタに第１のモジュールを接続した際の斜視図である。
【図５】第１実施例としての装着部品の斜視図である。
【図６】装着部品の形状を説明するための図である。
【図７】装着部品の使用方法について説明するための図である。
【図８】第２実施例の電子カード接続装置を説明するための図である。
【図９】本発明の第２実施例としての装着部品について説明するための図である。
【図１０】第３変形例及び第６変形例の装着部品の斜視図である。
【図１１】第７変形例及び第８変形例を説明するための図である。
【図１２】第９変形例を説明するための図である。
【図１３】ユニバーサルスロットのコネクタに各カードを接続した際の斜視図である。
【発明を実施するための形態】
【００２２】
次に、本発明の実施の形態を以下の順序で説明する。
Ａ．第１実施例：
Ｂ．第２実施例：
Ｃ．変形例：
【００２３】
Ａ．第１実施例：
図１は、本発明の第１実施例としての装着部品を装着するための電子カード接続装置を説明するための図である。なお、図１には方向を特定するためにＸＹＺ軸が図示されている。電子カード接続装置１は、筐体２０と底面部材３０とを有する。筐体２０の前面（Ｘ軸正方向側に位置する面）には開口部２０８が形成され、開口部２０８から後述する形状の異なる２枚の電子カードがそれぞれ挿入される。本実施例の電子カード接続装置１は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したユニバーサルスロットである。以下、電子カード接続装置１を「ユニバーサルスロット１」ともいう。
【００２４】
図２は、第１実施例の電子カード接続装置１を説明するための第２の図である。図２では、説明の便宜上、底面部材３０（図１）は図示していない。筐体２０は、Ｘ軸正方向側の正面２０８と、Ｘ軸負方向側の第１の後面２０６と第２の後面２１２と、Ｙ軸正方向側の第１の右側面２０４と第２の右側面２１０と、Ｙ軸負方向側の左側面２０２と、Ｚ軸正方向側の上面２１４と、Ｚ軸負方向側の底面（開口）とを備える。正面は開口しており、開口部２０８を形成している。底面の開口を底面部材３０（図１）が塞ぐことで、ユニバーサルスロット１は前面のみが開口した構成となる。第１の後面２０６には、コネクタ２１６が備え付けられている。このようなユニバーサルスロット１はノートパソコンやデスクトップパソコン等の電子機器に装備されている。
【００２５】
筐体２０の開口部２０８の幅はＷ１であり、第１の後面２０６の幅はＷ２であり、第２の後面２１２の幅はＷ３である。また、左側面２０２の長さはＷ４であり、第１の右側面２０４の長さはＷ５であり、第２の右側面２１０の長さはＷ６である。さらに、筐体２０の厚さはＷ７である。また、筐体２０は、Ｘ軸方向において、開口部２０８から第２の後面２１２まで一定の幅Ｗ１を有する第１の部分２２０と、第１の部分２２０から第１の後面２０６まで一定の幅Ｗ２を有する第２の部分２３０を有する構造をしている。なお、Ｗ１〜Ｗ７は筐体２０の内径を示す。
【００２６】
図３は、ユニバーサルスロット１のコネクタ２１６に接続する電子カードを備えたモジュールの斜視図である。図３（Ａ）は第１のモジュール４０の斜視図であり、図３（Ｂ）は第２のモジュール５０の斜視図である。なお、図３には方向を特定するためにＸＹＺ軸が図示されている。ここでは、Ｙ軸方向（ユニバーサルスロット１の開口部２０８の長手方向）を幅方向としている。
【００２７】
第１のモジュール４０は、Ｅｘｐｒｅｓｓ  Ｃａｒｄ／３４（符号４４、以下「第１のカード４４」という。）と拡張用部品４２とを備える。第１のカード４４は略直方体の形状であり、第１のカード４４のＸ軸正方向側には２つの切欠部４４１，４４２を有する。第１のカード４４の幅はＡ２であり、第１のカード４４の厚さはＡ７である。ＰＣＭＣＩＡ規格では、幅Ａ２は３４．００ｍｍ、厚さＡ７は５．００ｍｍである。第１のモジュール４０は、Ｘ軸負方向側からユニバーサルスロット１の開口部２０８に挿入され、コネクタ２１６（図２）に接続される。なお、第１のモジュール４０は、破線の位置までユニバーサルスロット１に差し込まれることでコネクタ２１６（図２）に接続される。ここで、第１のモジュール４０又は第１の電子カード４４が「課題を解決するための手段」に記載の「第１種の電子カード」に相当する。
【００２８】
第２のモジュール５０は、Ｅｘｐｒｅｓｓ  Ｃａｒｄ／５４（符号５４、以下「第２のカード５４」という。）と拡張用部品５２とを備える。第２のカード５４はＺ軸正方向側から見てＬ字形状であり、第１のカード４４と同様、Ｘ軸正方向側には２つの切欠部５４１，５４２を有する。また、第２のカード５４は、Ｘ軸正方向側に幅Ｂ１を有する幅広部５５０と、Ｘ軸負方向側に幅Ｂ１より小さい幅Ｂ２を有する幅同一部５５２とを有する。また、第２のカード５４は厚さＢ７を有する。幅Ｂ２は幅Ａ２と同一の値であり、厚さＢ７は厚さＡ７と同一の値である。ＰＣＭＣＩＡ規格では、幅Ｂ２は３４．００ｍ、幅Ｂ１は５４．００ｍｍ、厚さＢ７は５．００ｍｍである。第２のモジュール５０は、Ｘ軸負方向側からユニバーサルスロット１の開口部２０８に挿入され、破線の位置までユニバーサルスロット１に差し込まれることでコネクタ２１６（図２）に接続される。
【００２９】
次に、図２と図３を用いて、ユニバーサルスロット１の形状と、各モジュール４０，５０の形状の関係について説明する。ユニバーサルスロット１の開口部２０８及び第１の部分２２０は、第２のモジュール５０の幅広部５５０を収納可能とするべく、幅Ｂ１に対応する幅Ｗ１を有する。また、第２の部分２３０は、第１のモジュール４０及び第２のモジュール５０の幅同一部５５２を収納可能とするべく、幅Ａ２及び幅Ｂ２に対応する幅Ｗ２を有する。またユニバーサルスロット１は、第１のモジュール４０及び第２のモジュール５０を収納可能とするべく、第１のモジュール４０の厚さＡ７及び第２のモジュール５０の厚さＢ７に対応する厚さＷ７を有する。長さＷ４及びＷ５は各モジュール４０，５０を収納した際に、第１のカード４４又は第２のカード５４の一部が筐体２０の外側へ出るような長さを有する。幅Ｗ３は、第２のカード５４の幅広部５５０のＸ軸負方向側の面全面が当接する値を有する。ここで、図２及び図３に記載の「Ｗ１〜Ｗ７」、「Ａ２，Ａ７」、「Ｂ１，Ｂ２，Ｂ７」は寸法を意味する。ＰＣＭＣＩＡ規格では、幅Ｗ１は５４．４０ｍｍ、幅Ｗ２は３４．４０ｍｍ、厚さＷ７は５．５０ｍｍ、長さＷ４は６２．１５ｍｍである。更に幅Ｗ３はＰＣＭＣＩＡ規格に開示の寸法から算出すると、２０．００ｍｍ（幅Ｗ１−幅Ｗ２）であり、長さＷ５は３７．１５ｍｍであり、長さＷ６は２５．００ｍｍ（長さＷ４−長さＷ５）である。なお、「対応する幅」とは、ユニバーサルスロット１が各モジュール４０，５０を収納できる程度の幅を有することを意味する。例えば「対応する幅」とは、各モジュール４０，５０のうちの収納される部分（第１のカード４４及び第２のカード５４）の幅よりも０．０１ｍｍ〜１．００ｍｍの範囲で大きいことが好ましい。
【００３０】
図４は、ユニバーサルスロット１のコネクタ２１６に第１のモジュール４０を接続した際の斜視図である。なお、図４は図示の便宜上、底面部材３０（図１）は省略している。図４に示すように、第１のモジュール４０をユニバーサルスロット１に挿入し、コネクタ２１６と接続した場合、ユニバーサルスロット１には、底面部材３０と筐体２０と第１のモジュール４０とにより囲まれて形成される略直方体形状の空間部２２１が生じる。空間部２２１の幅はＷ３ａであり、長さはＷ５であり、高さはＷ７である。ＰＣＭＣＩＡ規格に開示されたユニバーサルスロットと第１のカード４４の寸法を元に空間部２２１の幅Ｗ３ａを算出すると、幅Ｗ３ａは２０．４０ｍｍ（ユニバーサルスロット１の幅Ｗ１（５４．４０ｍｍ）−第１のカード４４の幅Ａ２（３４．００ｍｍ））となる。なお、空間部２２１の長さＷ５と高さＷ７は、図２に示したユニバーサルスロット１の長さＷ５（３７．１５ｍｍ）と厚さＷ７（５．５０ｍｍ）と同一であるため、同一符号を付した。
【００３１】
次に図５及び図６を用いて、本発明の第１実施例としての装着部品６について説明する。図５は第１実施例としての装着部品６の斜視図であり、図６は装着部品６の形状を説明するための図である。なお、図５及び図６には方向を特定するためにＸＹＺ軸が図示されている。図５（Ａ）は装着部品６を説明するための第１の図であり、図５（Ｂ）は装着部品６を説明するための第２の図である。また、図６（Ａ）は図５の装着部品６をＺ軸正方向側から見た図であり、図６（Ｂ）は装着部品６をＹ軸正方向側から見た図であり、図６（Ｃ）は装着部品６をＹ軸負方向側から見た図である。なお、図６（Ｃ）には、部材６２２と部材６４の境界には破線を付している。
【００３２】
図５（Ａ）に示すように装着部品６は、Ｘ軸負方向側の第１の部材６２と、Ｘ軸正方向側の第２の部材６４と、第２の部材６４のＹ軸負方向側の側面に接続された突出部材６５と、第２の部材６４と接続された薄肉部材６６とを有する。第１の部材６２は、第２の部材６４からＸ軸負方向側へと伸びる略直方体形状の棒状部材６２２と、棒状部材６２２の一端からＹ軸正方向側へ所定の長さ伸びた後、Ｘ軸正方向側へと屈曲しＸ軸正方向側に向かって所定の長さ伸びる屈曲部材６２４とを有する。この、屈曲部材６２４は弾性を有し、外力によりＹ軸方向に若干変位することができる。第２の部材６４及び突出部材６５はいずれも略直方体形状である。薄肉部材６６は、第２の部材６４の底面（Ｚ軸負方向側の面）からＸ軸正方向側へと伸び、一定の長さを有する。さらに、薄肉部材６６の幅は第１の部材６２及び第２の部材６４の幅よりも大きい。図５（Ａ）に示すように、薄肉部材６６は、Ｙ軸負方向側に突出した形状をしている。なお、棒状部材６２２が「発明が解決するための手段」に記載の「電子カード側部材」に相当し、屈曲部材６２４が「発明が解決するための手段」に記載の「側面側部材」及び「弾性部材」に相当し、突出部材６５が「発明が解決するための手段」に記載の「嵌合部材」に相当する。
【００３３】
図５（Ｂ）に示すように第１の部材６２にはシングルハッチングを施しており、その他の部材６４，６５，６６にはクロスハッチングを施している。装着部品６をユニバーサルスロット１に挿入した場合、シングルハッチングを施した第１の部材６２が、ユニバーサルスロット１の空間部２２１に収納され、クロスハッチングしたその他の部材６４，６５，６６は開口部２０８から外側に位置することになる。第１の部材６２が空間部２２１に収納された際には、棒状部材６２２（詳細には棒状部材６２２のＹ軸負方向側の面）が第１のカードと接し、屈曲部材６２４（詳細には屈曲部材６２４のＹ軸正方向側の面）が筺体２０の第１の右側面２０４と接することになる。
【００３４】
装着部品６には、ユニバーサルスロット１に挿入した際に、ショートを回避するために絶縁材料を用いることが好ましい。このような材料としては、例えば天然樹脂や合成樹脂がある。また、装着部品６は、天然樹脂や合成樹脂を用いて射出成型することで作製することが好ましい。なお、各部６２，６４，６５，６６を別々に作製した後に、接合することで装着部品６を作製しても良い。
【００３５】
次に図６を用いて、装着部品６の詳細な形状について説明する。第１の部材６２は、幅Ｃ３ａ、長さＣ５、厚さＣ６を有する。幅Ｃ３ａは空間部２２１の幅Ｗ３ａ（図４、２０．４０ｍｍ）よりも大きいことが好ましい。具体的には、幅Ｃ３ａは２０．４５ｍｍ以上２１．００ｍｍ以下が好ましく、２０．５０ｍｍがさらに好ましい。幅Ｃ３ａを空間部２２１の幅Ｗ３ａよりも大きくすることで、ユニバーサルスロット１に第１の部材６２を収納した際に、屈曲部材６２４が元の形状（幅Ｃ３ａの形状）に戻ろうとする（元の形状に戻ろうとする力を「弾性力」ともいう。）。このため、屈曲部材６２４が筐体２０の第１の右側面２０４（図２）を付勢する。言い換えれば、装着部品６が第１のモジュール４０（詳細には第１のカード４４）とユニバーサルスロット１の筐体２０（詳細には第１の右側面２０４）により挟持される。さらに別の言い方をすれば、屈曲部材６２４の弾性力により、第１のカード４４を装着部品６が位置する側とは反対の側（左側面２０２側）に押す。よって、第１の部材６２が空間部２２１に安定して保持されることから、装着部品６を安定して電子カード接続装置１内に保持させることができる。
【００３６】
第１の部材６２の長さＣ５は、特に限定されないが、第１の部材６２をユニバーサルスロット１に収納した場合に、空間部２２１を形成する第２の後面２１２（図４）に棒状部材６２２の先端（Ｘ軸負方向側の棒状部材）が接する長さを有することが好ましい。より具体的には、ユニバーサルスロット１や第１のモジュール４０の寸法及び公差を考慮し、長さＣ５は、３６．９５ｍｍ以上３７．３５ｍｍ以下とすることが好ましい。さらに、長さＣ５は３７．００ｍｍとすることがより好ましい。棒状部材６２２が第２の後面２１２に接することで、装着部品６のぐらつきを抑制することができるからである。
【００３７】
第１の部材６２の厚さＣ６は、空間部２２１に棒状部材６２２が収納でき、かつ、第１のカード４４との接触面積をある程度有する厚さ（例えば、３．００ｍｍ以上５．６０ｍｍ未満）であれば良いが、第１の部材の上面（Ｚ軸正方向側の面）と底面（Ｚ軸負方向側の面）が空間部２２１を形成する筐体２０の上面２１４と底面部材３０にそれぞれ接するような厚さであればより好ましい。第１の部材６２の上面と底面が空間部２２１を形成する筐体２０の上面２１４と底面部材３０にそれぞれ接することで、装着部品６のぐらつきをより抑制よることができるからである。具体的には、例えば、第１の部材６２の厚さＣ６は４．９０ｍｍ以上５．６０ｍｍ未満が好ましく、５．００ｍｍがより好ましい。
【００３８】
屈曲部材６２４は幅Ｃ９を有する。この幅Ｃ９は屈曲部材６２４がＹ軸方向に変位可能とするために、ある程度薄いことが好ましい。具体的には、例えば幅Ｃ９は、１．００ｍｍ〜３．００ｍｍが好ましく、２．００ｍｍがより好ましい。
【００３９】
また、屈曲部材６２４はＸ軸方向の長さＣ１２を有する。この長さＣ１２は、空間部２２１の第１の右側面２０４（図４）に屈曲部材６２４が接することで安定して装着部品６を空間部２２１内に保持できる程度の長さであることが好ましい。具体的には、例えば長さＣ１２は３０．００ｍｍ以上３７．００ｍｍ以下であることが好ましく、３５．００ｍｍであることがさらに好ましい。こうすることで、屈曲部材６２４と第１の右側面２０４との接触面積を十分に確保することできるため、安定して装着部品６を空間部２２１内で保持できるからである。
【００４０】
第２の部材６４は、幅Ｃ３、厚さＣ１８を有する。幅Ｃ３及び厚さＣ１８は、ユニバーサルスロット１のコネクタ２１６に第１のモジュール４０が接続された場合において、第１の部材６２を空間部２２１に収納した際に、開口部２０８（図２）から空間部２２１に埃が侵入することを防止できる程度の大きさ及び形状を有することが好ましい。言い換えれば、開口部２０８を筐体２０の外部から遮蔽するような大きさ及び形状を有することが好ましい。具体的には、空間部２２１の開口部２０８の寸法（図４、幅Ｗ３ａが２０．４０ｍｍ、厚さＷ６が５．５０ｍｍ）及び公差を考慮し、幅Ｃ３は１９．９０ｍｍ以上２１．００ｍｍ以下、厚さＣ１８は５．４０ｍｍ以上５．７０ｍｍ以下が好ましい。幅Ｃ３が１９．９０ｍｍよりも小さく、また厚さＣ１８が５．４０ｍｍよりも小さいと、埃の空間部２２１への侵入を効果的に防止できない可能性があるからである。また、幅Ｃ３が２１．００ｍｍよりも大きく、厚さＣ１８が５．７０ｍｍよりも大きいと、ユニバーサルスロット１の開口部２０８に前面カバー（Ｆｒｏｎｔ  Ｂｅｚｅｌ）が装備されている場合、前面カバーに第２の部材６４が収納できない可能性があるからである。なお、幅Ｃ３は２０．００ｍｍがより好ましく、厚さＣ１８は５．５０ｍｍがより好ましい。
【００４１】
第１のモジュール４０と嵌合させるための突出部材６５は、幅Ｃ８、長さＣ１１、厚さＣ１０を有する。突出部材６５の寸法は、第１のモジュール４０の切欠部４４２（図３（Ａ））に嵌合させることができる大きさであれば良い。具体的には、ＰＣＭＣＩＡ規格に規定された切欠部４４２（「セキュリティノッチ」ともいう。）の寸法及び公差を考慮し、幅Ｃ８は１．４０ｍｍ以上１．５０ｍｍ以下が好ましく、長さＣ１１は６．９０ｍｍ以上７．００ｍｍ以下が好ましく、厚さＣ１０は１．４０ｍｍ以上１．６０ｍｍ以下が好ましい。また、幅Ｃ８は１．５０ｍｍ、長さＣ１１は７．００ｍｍ、厚さＣ１０は１．５０ｍｍがさらに好ましい。なお、拡張用部品４２が装備されていない第１のカード４４の場合、ＰＣＭＣＩＡ規格に規定された切欠部の寸法が上記の切欠部４４２の寸法とは異なるため、寸法の違いに対応させて突出部材６５の寸法を定めることが好ましい。
【００４２】
また、棒状部材６２２のＸ軸負方向側端部から突出部材６５のＸ軸負方向側端部までは、長さＣ１４（図６（Ｃ））を有する。この長さＣ１４は、突出部材６５を切欠部４４２に嵌合させた後に第１のモジュール４０と共に装着部品６をユニバーサルスロット１に挿入した場合に、棒状部材６２２のＸ軸負方向側端部が空間部２２１の第２の後面２１２（図２）に接することができるような長さとすることが好ましい。具体的には、例えば長さＣ１４は、４９．９０ｍｍ以上５１．１０ｍｍ以下が好ましく、５１．００ｍｍがより好ましい。
【００４３】
薄肉部材６６は、幅Ｃ１、厚さＣ７、長さＣ１５を有する。また、第２の部材６４のＹ軸負方向側から薄肉部材６６のＹ軸負方向側までは幅Ｃ２である。幅Ｃ２及び長さＣ１５は、第１のモジュール４０の拡張用部品４２（図３（Ａ））の底面と当接することで、第１のモジュール４０を安定して保持することができる程度の大きさを有することが好ましい。具体的には、例えば幅Ｃ２は１７．００ｍｍ以上が好ましく、３４．００ｍｍがさらに好ましい。ＰＣＭＣＩＡ規格では拡張用部品４２の幅は３４．００ｍｍであり、この半分の大きさ（１７．００ｍｍ）より幅Ｃ２が小さいと拡張用部品４２を安定して保持することができないからである。また、拡張用部品４２の幅と同一幅（３４．００ｍｍ）とすることで、より安定して拡張用部品４２を薄肉部材６６により保持することができるからである。また、長さＣ１５は１０．００ｍｍ以上が好ましく、１７．００ｍｍがさらに好ましい。長さＣ１５を１０．００ｍｍ以上とすることで拡張用部品４２を安定して保持することができるからである。
【００４４】
薄肉部材６６の厚さＣ７は、薄肉部材６６に拡張用部品４２を載せた際に、薄肉部材６６が破損せず、かつ、装着部品６をユニバーサルスロット１から引き抜く際に、利用者が薄肉部材６６を掴んで引き抜きやすいような大きさにすることが好ましい。具体的には、例えば厚さＣ７は、０．８０ｍｍ以上１．５０ｍｍ以下が好ましく、１．００ｍｍがより好ましい。また、長さＣ１７は、第１の部材６２をユニバーサルスロット１に収納した際に、ユニバーサルスロット１が内部に装備されたコンピュータから薄肉部材６６が露出するような長さを有することが好ましい。
【００４５】
また、第１の部材６２と第２の部材６４のトータルの長さＣ１３及び装着部品６の長さＣ４は、第１のモジュール４０と装着部品６を一体としてユニバーサルスロット１に挿入する際の第１のモジュール４０と装着部品６の安定性を考慮し、適宜決定することができる。具体的には、例えば長さＣ１３は、６０．００ｍｍ以上６６．００ｍｍ以下が好ましく、６３．００ｍｍがより好ましい。また、長さＣ４は、７６．００ｍｍ以上８１．００ｍｍ以下が好ましく、８０．００ｍｍがより好ましい。
【００４６】
図７は、装着部品６の使用方法について説明するための図である。図７（Ａ）は、装着部品６をユニバーサルスロット１に収納する前の図であり、図７（Ｂ）は、装着部品６をユニバーサルスロット１に収納した後の図である。図７（Ａ）に示すように、第１のモジュール４０をユニバーサルスロット１に挿入する際には、装着部品６の突出部材６５を第１のカード４４の切欠部４４２（図３（Ａ））に嵌合させる。また、薄肉部材６６の一部が拡張用部品４２の底面と接するように装着部品６を第１のモジュール４０に取り付ける。こうすることで、突出部材６５と薄肉部材６６により第１のモジュールを挟持することができる。
【００４７】
図７（Ｂ）に示すように、図７（Ａ）のごとく装着部品６を第１のモジュール４０に取り付けた後に、第１のモジュール４０と装着部品６を共にユニバーサルスロット１に挿入する。また、第１のモジュール４０と装着部品６をユニバーサルスロット１から引き抜く際には、薄肉部材６６を掴んで引き抜くことで第１のモジュール４０と装着部品６を一体に容易に引き抜くことができる。
【００４８】
このように、ユニバーサルスロット１のコネクタ２１６に第１のモジュール４０を接続した際に形成されるユニバーサルスロット１内の空間部２２１（図４）に、装着部品６の第１の部材６２が収納されるため、第１のモジュール４０のぐらつきを抑制することができる。このため、第１のモジュール４０のコネクタ２１６（図２）への接続を良好に保つことができる。また、第２の部材６４によって空間部２２１の開口部２０８（図４）を外部から遮蔽することができるため、開口部２０８からユニバーサルスロット１内に埃が侵入することを防止することができる。また、突出部材６５と薄肉部材６６により、第１のモジュール４０と装着部品６とを一体としてユニバーサルスロット１に対して着脱することができる。さらに、突出部材６５と薄肉部材６６により第１のモジュール４０を挟持するため、第１のモジュールのぐらつきをより一層抑制することができる。ユニバーサルスロット１自体に「ぐらつき抑制機構」や「防塵機構」が備え付けられていない場合に、装着部品６を空間部２２１に挿入することで、第１のモジュールのぐらつきの抑制と空間部への埃の侵入の防止を達成することができる。
【００４９】
Ｂ．第２実施例：
図８は、第２実施例の電子カード接続装置を説明するための図である。図８（Ａ）は斜視図であり、図８（Ｂ）は電子カード接続装置１ａをＸ軸正方向側から見た図である。なお、図８には方向を特定するためにＸＹＺ軸が図示されている。第１実施例の電子カード接続装置１との違いは、本実施例の電子カード接続装置１ａは、新たに左側面２０２及び第１の右側面２０４にコノ字状（凹部状）のガイドレール２６０，２６２を備えている点である。その他の構成については、第１実施例と同様の構成であるため、第１実施例と同様の構成については同一符号を付すと共に説明を省略する。また、本実施例の電子カード接続装置１ａは、ＰＣＭＣＩＡ規格に準拠したユニバーサルスロットである。以下、電子カード接続装置１ａを「ユニバーサルスロット１ａ」とも呼ぶ。ガイドレール２６０，２６２は、第１のモジュール４０又は第２のモジュール５０のユニバーサルスロット１ａへの挿入を誘導するための機能を有する。
【００５０】
図８（Ｂ）に示すように、ガイドレール２６０，２６２によって形成される凹部２６０ａ，２６２ａは、長さＷ８、厚さＷ９を有する。ＰＣＭＣＩＡ規格では、長さＷ８は１．４０ｍｍ、厚さＷ９は３．４０ｍｍである。なお、ユニバーサルスロット１ａの開口部２０８の幅Ｗ１、第２の部分２３０の幅Ｗ２は、第１実施例の幅と同一である。なお、本実施例で「幅」とはユニバーサルスロット１ａの内径を指す。ここで、ユニバーサルスロット１ａに第１のモジュール４０を収納した場合、第１実施例と同様、幅Ｗ３ａ、長さＷ５、高さＷ７の空間部２２１が形成される（図４）。
【００５１】
図９は、本発明の第２実施例としての装着部品６ａについて説明するための図である。図９（Ａ）は装着部品６ａの斜視図であり、図９（Ｂ）は図９（Ａ）のＢ−Ｂ断面を示す図である。第１実施例との違いは、屈曲部材６２４の一部に凸状部位６２４ａを設けた点であり、その他の構成については第１実施例と同様の構成であるため、同様の構成については同一符号を付すと共に説明を省略する。
【００５２】
図９（Ｂ）に示すように、凸状部位６２４ａの突起部６２４ｂは、幅Ｃ２０、厚さＣ２１を有する。この幅Ｃ２０及び厚さＣ２１は、ＰＣＭＣＩＡ規格に規定のガイドレール２６２の寸法及び公差を考慮し、ガイドレール２６２に嵌合できるような大きさとすることが好ましい。具体的には、例えば幅Ｃ２０は１．２０ｍｍ以上１．６０ｍｍ以下、長さＣ２１は３．３０ｍｍ以上３．５０ｍｍ以下とすることが好ましい。
【００５３】
このように、ユニバーサルスロット１ａがガイドレール２６２を有する場合は、第１の部材６２のうちガイドレール２６２に当接する部位に凸状部位６２４ａを設けることで、装着部品６ａをスムーズにユニバーサルスロット１ａに挿入することができる。さらに、ユニバーサルスロット１ａのコネクタに第１のモジュール４０を接続した場合に形成される空間部に装着部品６ａの第１の部材６２を収納することで、第１実施例と同様、第１のモジュール４０のぐらつきを抑制するができる。また、第１実施例と同様、開口部２０８からユニバーサルスロット１ａ内に埃が侵入することを防止することができる。
【００５４】
Ｃ．変形例：
なお、上記実施例における構成要素の中の、特許請求の範囲の独立項に記載した要素以外の要素は、付加的な要素であり、適宜省略可能である。また、本発明の上記実施例や実施形態に限られるものではなく、その要旨を逸脱しない範囲において種々の形態において実施することが可能であり、例えば次のような変形も可能である。
【００５５】
Ｃ−１．第１変形例：
上記実施例では、装着部品６，６ａは突出部材６５、薄肉部材６６を有していたが、このような構成を設けなくても良い。このような構成を設けなくても、第１のモジュール４０のぐらつきを抑制できると共に、開口部２０８からユニバーサルスロット１，１ａ内に埃が侵入することを防止できるからである。
【００５６】
Ｃ−２．第２変形例：
上記実施例では、装着部品６，６ａの屈曲部材６２４は弾性を有したが、弾性を有していなくても良い。この場合、第１の部材６２の幅Ｃ３ａは空間部２２１の幅Ｗ３ａと略同一とすることが好ましい。ここで「略同一」としたのは、幅Ｗ３ａの公差を考慮したためである。このようにしても、第１のモジュール４０のぐらつきを抑制できると共に、開口部２０８からユニバーサルスロット１，１ａ内に埃が侵入することを防止できるからである。
【００５７】
Ｃ−３．第３変形例：
図１０（Ａ）は、第３変形例を説明するための図である。上記実施例では、第１の部材６２に弾性を有させるために屈曲部材６２４を設けたが、他の構成により第１の部材６２に弾性を有させても良い。例えば、図１０（Ａ）に示すように、装着部品６ｂはＺ軸正方向から見た形状が台形の第１の部材６２ｂを有する。第１の部材６２ｂは上記実施例と同様、幅Ｃ３ａを有する。また、第１の部材６２ｂは天然ゴムや合成ゴムにより作製され弾性を有する。このようにしても、装着部品６ｂの第１の部材６２ｂを空間部２２１に収納した場合、第１の部材６２ｂは筐体２０の第１の右側面２０４（図２）を付勢するため、第１の部材６２ｂを空間部２２１に安定して収納させることができる。なお、図１０（Ａ）には第１の部材６２ｂと第２の部材６４の境界には破線を付している。
【００５８】
Ｃ−４．第４変形例：
上記実施例では、第１のカード４４は拡張用部品４２を実装していたが、拡張用部品４２は実装していなくても良い。
【００５９】
Ｃ−５．第５変形例：
上記実施例では、ユニバーサルスロット１，１ａのコネクタ２１６にＥｘｐｒｅｓｓ  Ｃａｒｄ／３４を接続した際に形成される空間部２２１に装着部品を挿入したが、本発明の装着部品の用途はこれに限定されるものではない。例えば、一定の幅を有する直方体形状の第１種の電子カードと、第１種の電子カードより大きい一定の幅を有する直方体形状の第２種の電子カードを収納可能なコネクタを備えた直方体形状の電子カード接続装置（電子カード収納装置）に本発明の装着部品を用いることもできる。すなわち、直方体形状の電子カード接続装置に一定の幅を有する直方体形状の第１種の電子カードを接続した際に形成される電子カード接続装置内の空間部に、本発明の装着部品の第１の部材を収納することもできる。これにより、第１種の電子カードのぐらつきを抑制するとともに、空間部から埃が侵入することを防止できる。
【００６０】
Ｃ−６．第６変形例：
図１０（Ｂ）は第６変形例を説明するための図である。上記実施例では、第１の部材６２のうち、筺体２０の右側面２０４と接する側面側部材に弾性を有させることで弾性部材として機能させたが、これに代えて第１のカード４４と接する電子カード側部材としての棒状部材６２２に弾性を有させても良い。例えば、図１０（Ｂ）に示すように、第２の部材６４のＸ軸負方向側の面のＹ軸正方向側からＸ軸負方向側へと伸びる棒状部材６２４ｃを形成させ、棒状部材６２４ｃの一端からＹ軸負方向側へと所定の長さ伸びた後、Ｘ軸正方向側へと屈曲する屈曲部材６２２ｃを形成させても良い。また、棒状部材６２２と屈曲部材６２４の間にＹ軸方向に伸縮するばねを設けても良い。この場合、ばねが弾性部材として機能する。
また、第６変形例の屈曲部材６２２ｃのＹ軸負方向側の側面（ユニバーサルスロット１，１ａに収納した際に第１のカード４４と接する面）や上記実施例や変形例の第１の部材６２のＹ軸負方向側の側面（例えば、棒状部材６２２のＹ軸負方向側の側面。言い換えれば、ユニバーサルスロット１，１ａに収納した際に第１のカード４４と接する面）は、第１のカード４４の側面（凸状形状の側面）と接触しやすいように凹状形状とすることが好ましい。
【００６１】
Ｃ−７．第７変形例及び第８変形例：
図１１は、第７変形例及び第８変形例を説明するための図である。図１１（Ａ）は第７変形例の装着部品６ｄのうち、屈曲部材６２４のＸ軸正方向側付近の部分拡大図であり、図１１（Ｂ）は第８変形例の装着部品６ｅの一部を示す図である。第７変形例において、屈曲部材６２４の先端部６２４ｄにはアールが設けられている。詳細には、このアールは先端部６２４ｄのＹ軸正方向側に設けられている。このようにアールを設けることで、装着部品６ｄのユニバーサルスロット１，１ａへの挿脱時に先端部６２４ｄが筐体２０に引っ掛かることをより防止することができる。また、第８変形例において、屈曲部材６２４の先端部６２４ｅは、第２の部材６４の右側面６４ａよりもＹ軸負方向側に位置している。これにより第７変形例と同様、先端部６２４ｅが筐体２０に引っ掛かることをより防止することができる。なお、第７，第８変形例において、その他の構成については、第１実施例と同様の構成であるため、同様の構成については同一符号を付すと共に説明を省略する。
【００６２】
Ｃ−８．第９変形例：
図１２は第９変形例を説明するための図である。第１実施例との違いは、第１の部材６２ｆが新たにブロック状部材６２５を備える点である。その他の構成については第１実施例と同様の構成であるため、同様の構成については同一符号を付すと共に説明を省略する。なお、図１２では、第２の部材６４とブロック状部材６２５の境界線、棒状部材６２２とブロック状部材６２５の境界線には、破線を付している。ブロック状部材６２５は第２の部材６４からＸ軸負方向側へと伸びる略直方体形状の部材である。また、ブロック状部材６２５を備えることにより、第１実施例と異なり棒状部材６２２はブロック状部材６２５からＸ軸負方向側へと伸びている。図１２（Ａ）に示すように、ブロック状部材６２５は幅Ｃ３０、厚さＣ３１を有する。また、図１２（Ｂ）に示すように、上記実施例と同様、シングルハッチングを施した第１の部材６２ｆがユニバーサルスロット１の空間部２２１に収納され、クロスハッチングを施したその他の部材６４，６５，６６が開口部２０８から外側に位置することになる。ブロック状部材６２５は空間部２２１に収納された際に空間部２２１の開口部２０８を塞ぐような形状であることが好ましい。例えば、空間部２２１の幅及び厚さ（図４、幅Ｗ３ａが２０．４０ｍｍ、厚さＷ６が５．５０ｍｍ）それに公差を考慮し、例えば、幅Ｃ３０は、１９．９０ｍｍ以上２０．６０ｍｍ未満が好ましく、厚さＣ３１は、３．００ｍｍ以上５．６０ｍｍ未満が好ましい。さらに厚さＣ３１は、４．９０ｍｍ以上５．６０ｍｍ未満がさらに好ましい。ブロック状部材６２５の幅及び厚さを空間部２２１の幅及び厚さに対応させることで、開口部２０８からの埃の侵入をより一層防止することができる。ここで、第１の部材６２ｆは上記実施例と同様、長さＣ５（長さＣ５は、３６．９５ｍｍ以上３７．３５ｍｍ以下が好ましい）を有する。
【符号の説明】
【００６３】
１，１ａ，１ｃ…ユニバーサルスロット（電子カード接続装置）
６，６ａ，６ｂ，６ｃ，６ｄ，６ｅ，６ｆ…装着部品
２０，２０ｃ…筐体
３０，３０ｃ…底面部材
４０…第１のモジュール
４２，４２ｃ，５２，５２ｃ…拡張用部品
４４，４４ｃ…第１のカード
５０…第２のモジュール
５４，５４ｃ…第２のカード
６２，６２ｂ，６２ｃ，６２ｆ…第１の部材
６４…第２の部材
６４ａ…右側面
６５…突出部材
６６…薄肉部材
２０２…左側面
２０４…第１の右側面
２０６…第１の後面
２０８，２０８ｃ…開口部
２１０…第２の右側面
２１２…第２の後面
２１４…上面
２１６…コネクタ
２２０，２２０ｃ…第１の部分
２２１…空間部
２３０…第２の部分
２６０，２６２…ガイドレール
２６０ａ…凹部
４４１，４４２，５４１，５４２…切欠部
５５０…幅広部
５５２…幅同一部
６２２，６２４ｃ…棒状部材
６２４，６２２ｃ…屈曲部材
６２４ａ…凸状部位
６２４ｂ…突起部
６２４ｄ，ｅ…先端部
６２５…ブロック状部材
【図１】
2010267202.tif 000003
【図２】
2010267202.tif 000004
【図３】
2010267202.tif 000005
【図４】
2010267202.tif 000006
【図５】
2010267202.tif 000007
【図６】
2010267202.tif 000008
【図７】
2010267202.tif 000009
【図８】
2010267202.tif 000010
【図９】
2010267202.tif 000011
【図１０】
2010267202.tif 000012
【図１１】
2010267202.tif 000013
【図１２】
2010267202.tif 000014
【図１３】
2010267202.tif 000015